(57)【要約】【課題】  施工現場において凹所の底壁及び側壁の内面に透水シートを貼り合わせる作業を不要にして、施工作業が簡単で施工作業性を向上させ、建設コストを低減させると共に、長期間にわたり性能を安定して維持することができる雨水浸透施設を提供する。【解決手段】  地面を掘り下げて形成された凹所３と、複数の中詰用部材を積層、合体して形成され、前記凹所３内に配設された中詰用積層体５とを備え、凹所３の中詰用積層体５内に一時貯留された雨水を地中に緩やかに浸透させて排出する雨水浸透施設において、前記中詰用積層体５における凹所３に隣接する側の複数の中詰用部材である床パネル７及び側パネル１１が透水性材料で形成され、これら床パネル７や側パネル１１を含む継ぎ目１７、１９等に異物侵入防止パッキン２３が介装される。【選択図】        図１
2005330734.tif 000002
【特許請求の範囲】
【請求項１】
地面を掘り下げて形成された凹所と、複数の中詰用部材を積層、合体して形成され、前記凹所内に配設された中詰用積層体とを備え、凹所の中詰用積層体内に一時貯留された雨水を地中に緩やかに浸透させて排出する雨水浸透施設において、前記中詰用積層体における凹所に隣接する側の複数の中詰用部材が透水性材料で形成され、これら中詰用部材の継ぎ目に異物侵入防止パッキンが介装されることを特徴とする雨水浸透施設。
【請求項２】
地面を掘り下げて形成された凹所と、複数の中詰用部材を積層、合体して形成され、前記凹所内に配設された中詰用積層体とを備え、凹所の中詰用積層体内に一時貯留された雨水を地中に緩やかに浸透させて排出する雨水浸透施設において、前記中詰用積層体における凹所に隣接する側の複数の中詰用部材が非透水性部材と該部材に設けられた複数の雨水挿通穴と該部材の側面に貼着された透水シートとからなり、これら中詰用部材の継ぎ目に異物侵入防止パッキンが介装されることを特徴とする雨水浸透施設。
【請求項３】
地面を掘り下げて形成された凹所と、複数の中詰用部材を積層、合体して形成され、前記凹所内に配設された中詰用積層体とを備え、凹所の中詰用積層体内に一時貯留された雨水を地中に緩やかに浸透させて排出する雨水浸透施設において、前記中詰用積層体における凹所に隣接する側の複数の中詰用部材が非透水性材料で形成され、これら中詰用部材の継ぎ目に透水性の異物侵入防止パッキンが介装され、凹所の底壁及び側壁と中詰用積層体との間に砕石層が配設されることを特徴とする雨水浸透施設。
【請求項４】
請求項３記載の雨水浸透施設において、前記砕石層に代えて透水シートが配設されることを特徴とする雨水浸透施設。
【請求項５】
前記中詰用部材が、横方向に敷き詰められる複数の床パネル及び天井パネルと、上下方向に積層される複数の側パネルと、側パネルに介装される複数の梁材と、床パネル、梁材及び天井パネルに介装される支柱スペーサとを有し、前記中詰用積層体が床パネルの上に梁材及び天井パネルを支柱スペーサを介して上下方向に所定間隔をおいて積層すると共に、側パネルの上下端部を床パネル及び天井パネルに取り付け、床パネル、天井パネル及び側パネルを枠状に組み合わせて合体することにより形成され、前記異物侵入防止パッキンが、前記凹所に隣接する側の少なくとも床パネル間、側パネル間及び側パネルと梁材間の継ぎ目に介装されることを特徴とする請求項１乃至４のいずれか１項記載の雨水浸透施設。
【発明の詳細な説明】
【技術分野】
【０００１】
本発明は集中豪雨等により増水した雨水を一時貯留し、これを周りの地中に緩やかに浸透させて排出することにより、排水設備や河川に雨水が集中するのを緩和すると共に、大地に潤いを与える雨水浸透施設に関するものである。
【背景技術】
【０００２】
近年、都市部では建物やアスファルト舗装等で地面が覆われ、雨水が直接地面にしみ込まないいわゆる不浸透地域が増え、このため、集中豪雨等により増水した雨水が一気に排水施設や河川に集中し、水害が発生する恐れがある。そこで集中豪雨等の際、排水施設や河川に雨水が集中するのを緩和すると共に、大地に潤いを与える目的で、雨水を周りの地中（土壌）に緩やかに浸透させる雨水浸透施設が開発されている。
【０００３】
この種の雨水浸透施設としては、地面を掘り下げて形成された凹所と、複数のポリエチレン等の合成樹脂で出来た螺旋状波付貯水管からなる中詰用部材を積層、合体して形成され、前記凹所内に配設された中詰用積層体と、前記凹所の底壁及び側壁の内面に中詰用積層体を覆うように配設された透水シートとを備え、凹所の中詰用積層体内に一時貯留された雨水を透水シートを通して地中に緩やかに浸透させて排出するものが提案されている（特許文献１参照）。
【０００４】
【特許文献１】特開２００２−８８８２８号公報（発明の詳細な説明の段落番号００２９乃至００３０、図９）
【発明の開示】
【発明が解決しようとする課題】
【０００５】
この雨水浸透施設は、地面を掘り下げて凹所を形成した後、凹所の底壁の内面に全面にわたり、複数枚の透水シートを幅方向及び長さ方向に一部が重なるように、また側壁の内面にも浸透施設の高さ以上に立ち上がるようにして配設した後、これら透水シートの幅方向及び長さ方向の重なり部分を携帯用ガスバーナにより熱融着することにより透水シートを貼り合わせ、これらシートの一部重なり部分の隙間から、周りの地中の砂、砂利、土砂、泥、砕石その他の異物が中詰用積層体内に侵入しないようにしている。しかしながら、透水シートの貼り合わせ作業が大変で手数と熟練を要するほか、専門工を必要とすることが多くなり、透水シートの貼り合わせ作業に費用がかかって、雨水浸透施設の建設コストが高くなるという問題がある。また、中詰用積層体内に異物が侵入し易く、雨水浸透施設の性能（雨水浸透能力）が低下するという問題がある。
【０００６】
本発明は上記の事情に鑑みてなされたもので、本発明の目的は施工現場において凹所の底壁及び側壁の内面に透水シートを貼り合わせる作業を不要にして、施工作業が簡単で施工作業性を向上させ、建設コストを低減させると共に、長期間にわたり性能を安定して維持することができる雨水浸透施設を提供することにある。
【課題を解決するための手段】
【０００７】
上記目的を達成するために、本発明の請求項１に記載された発明は、地面を掘り下げて形成された凹所と、複数の中詰用部材を積層、合体して形成され、前記凹所内に配設された中詰用積層体とを備え、凹所の中詰用積層体内に一時貯留された雨水を地中に緩やかに浸透させて排出する雨水浸透施設において、前記中詰用積層体における凹所に隣接する側の複数の中詰用部材が透水性材料で形成され、これら中詰用部材の継ぎ目に異物侵入防止パッキンが介装されることを特徴とするものである。
【０００８】
本発明の請求項２に記載された発明は、地面を掘り下げて形成された凹所と、複数の中詰用部材を積層、合体して形成され、前記凹所内に配設された中詰用積層体とを備え、凹所の中詰用積層体内に一時貯留された雨水を地中に緩やかに浸透させて排出する雨水浸透施設において、前記中詰用積層体における凹所に隣接する側の複数の中詰用部材が非透水性部材と該部材に設けられた複数の雨水挿通穴と該部材の側面に貼着された透水シートとからなり、これら中詰用部材の継ぎ目に異物侵入防止パッキンが介装されることを特徴とするものである。
【０００９】
本発明の請求項３に記載された発明は、地面を掘り下げて形成された凹所と、複数の中詰用部材を積層、合体して形成され、前記凹所内に配設された中詰用積層体とを備え、凹所の中詰用積層体内に一時貯留された雨水を地中に緩やかに浸透させて排出する雨水浸透施設において、前記中詰用積層体における凹所に隣接する側の複数の中詰用部材が非透水性材料で形成され、これら中詰用部材の継ぎ目に透水性の異物侵入防止パッキンが介装され、凹所の底壁及び側壁と中詰用積層体との間に砕石層が配設されることを特徴とするものである。
【００１０】
本発明の請求項４に記載された発明は、請求項３記載の雨水浸透施設において、前記砕石層に代えて透水シートが配設されることを特徴とするものである。
【００１１】
本発明の請求項５に記載された発明は、請求項１乃至４のいずれか１項記載の雨水浸透施設において、前記中詰用部材が、横方向に敷き詰められる複数の床パネル及び天井パネルと、上下方向に積層される複数の側パネルと、側パネルに介装される複数の梁材と、床パネル、梁材及び天井パネルに介装される支柱スペーサとを有し、前記中詰用積層体が床パネルの上に梁材及び天井パネルを支柱スペーサを介して上下方向に所定間隔をおいて積層すると共に、側パネルの上下端部を床パネル及び天井パネルに取り付け、床パネル、天井パネル及び側パネルを枠状に組み合わせて合体することにより形成され、前記異物侵入防止パッキンが、前記凹所に隣接する側の少なくとも床パネル間、側パネル間及び側パネルと梁材間の継ぎ目に介装されることを特徴とするものである。
【発明の効果】
【００１２】
本発明の請求項１記載の雨水浸透施設によると、中詰用積層体における凹所に隣接する側の複数の中詰用部材自体が透水性材料で形成されるので、中詰用積層体内に一時貯留された雨水を中詰用部材を透過して周りの地中に緩やかに浸透させて排出することができる。また、中詰用部材の継ぎ目に異物侵入防止パッキンが介装されるので、中詰用積層体内に周りの地中の砂、砂利その他の異物が侵入するのを防止することができる。これにより、施工現場において凹所の底壁及び側壁の内面に透水シートを配設する作業及び透水シートを貼り合わせる作業が不要になり、施工作業が簡単で工数、熟練を要しなくなり、施工作業性を向上させると共に、工期を短縮させ、建設コストを低減させることができる。更に、長期間にわたり雨水浸透施設の性能（雨水浸透能力）を安定して維持することができる。
【００１３】
本発明の請求項２記載の雨水浸透施設によると、前記中詰用積層体における凹所に隣接する側の複数の中詰用部材の非透水性部材に予め透水シートが貼着され、透水シートにより雨水を地中に分散浸透させる機能を持たせるので、施工現場において凹所の底壁及び側壁の内面に透水シートを配設する作業が不要になるほか、異物侵入防止パッキンに砂、砂利その他の異物侵入防止機能を持たせるので、施工現場において透水シートを貼り合わせる作業も不要になり、施工作業が簡単で施工作業性を向上させると共に、工期を短縮させ、建設コストを低減させることができる。また、長期間にわたり雨水浸透施設の性能を安定して維持することができる。更に、中詰用部材が非透水性部材よりも通常薄肉で容積の小さい透水シートで雨水を地中に緩やかに浸透させる機能を持たせるので、中詰用積層体の材料費が低減され、雨水浸透施設のコストを安くすることができる。
【００１４】
本発明の請求項３記載の雨水浸透施設によると、砕石層に雨水を地中に分散浸透させる機能を持たせるので、施工現場において凹所の底壁及び側壁の内面に透水シートを配設する作業が不要になるほか、異物侵入防止パッキンに砂、砂利その他の異物侵入防止機能を持たせるので、施工現場において透水シートを貼り合わせる作業も不要になり、施工作業が簡単で施工作業性を向上させると共に、工期を短縮させ、建設コストを低減させることができる。また、長期間にわたり雨水浸透施設の性能を安定して維持することができる。更に、中詰用積層体を構成する中詰用部材が非透水性材料で形成されるので、中詰用積層体の加工費及び材料費が低減され、雨水浸透施設のコストを更に安くすることができる。
【００１５】
本発明の請求項４記載の雨水浸透施設によると、凹所の内面に配設された透水シートにより、雨水を地中に分散浸透させる機能を持たせるので、施工現場において透水シートを配設する必要があるが、異物侵入防止パッキンに砂、砂利その他の異物侵入防止機能を持たせるので、施工現場において工数と熟練を要する透水シートの貼り合わせ作業が不要になる。従って、施工作業が同様に簡単で施工作業性を向上させると共に、工期を短縮させ、建設コストを低減させることができる。また、長期間にわたり雨水浸透施設の性能を安定して維持することができる。更に、中詰用積層体を構成する中詰用部材が非透水性材料で形成されるので、中詰用積層体の加工費及び材料費が低減され、雨水浸透施設のコストを更に安くすることができる。
【００１６】
本発明の請求項５記載の雨水浸透施設によると、中詰用積層体が床パネル、天井パネル、側パネル、梁材及び支柱スペーサを有する中詰用部材を枠状に組み合わせて合体することにより形成されるので、中詰用積層体の構造がシンプルで堅牢になり、雨水浸透施設の信頼性をより高めることができる。
【発明を実施するための最良の形態】
【００１７】
次に、本発明を実施するための最良の形態を図面により詳細に説明する。図１は本発明に係る雨水浸透施設の一実施形態を示す断面図、図２は図１における雨水浸透施設の中詰用積層体の一部を拡大して示す斜視図、図３は図２における中詰用積層体を構成する中詰用部材の床パネル及び側パネルを示すもので、（ａ）は正面図、（ｂ）は側面図、図４は図２における中詰用部材の継ぎ目に異物侵入防止パッキンが介装された状態の３例を示すもので、（ａ）は床パネル間及び側パネル間の継ぎ目に異物侵入防止パッキンが介装された状態を示す拡大図、（ｂ）は側パネルと梁材間の継ぎ目に異物侵入防止パッキンが介装された状態を示す拡大図、（ｃ）は床パネルと側パネル間の継ぎ目に異物侵入防止パッキンが介装された状態を示す拡大図、図５は図２における中詰用部材の継ぎ目に介装される異物侵入防止パッキンを示す斜視図である。
【００１８】
本実施形態の雨水浸透施設は、図１に示すように、地面１を所望水量の雨水が一時貯留できるような大きさに掘り下げて形成された、例えば、矩形穴状の凹所３と、前記凹所３内に配設された中詰用積層体５とを備え、凹所３の中詰用積層体５内に一時貯留された雨水を周りの地中に緩やかに浸透させて排出することができるように構成されている。
【００１９】
中詰用積層体５は、図１、２に示すように、複数の中詰用部材を積層、合体して形成される。中詰用部材は、横方向（ＸＹ軸方向）に敷き詰められる複数の矩形板状の床パネル７及び天井パネル９と、上下方向（Ｚ軸方向）に積層される複数の矩形板状の側パネル１１と、側パネル１１に介装される複数の断面角形状の梁材（ビーム）１３と、床パネル７、梁材１３及び天井パネル９に介装される断面円形状の支柱スペーサ１５とを有する。そして、複数の床パネル７の上に複数の梁材１３及び複数の天井パネル９を複数の支柱スペーサ１５を介して上下方向に所定間隔をおいて積層し、ボルト、ねじ、接着剤、熱融着、凹凸嵌合等により取り付けると共に、側パネル１１の上下端部を床パネル７及び天井パネル９に取り付け、床パネル７、天井パネル９、側パネル１１等の中詰用部材を枠状に組み合わせて合体することにより形成される。
【００２０】
ところで、中詰用積層体５は、床パネル７、天井パネル９等の中詰用部材を枠状に組み合わせて合体した複数の小型な中詰用積層体ユニット（図示せず）を積層、合体して形成するようにしてもよい。このようにすると、種々の大きさ、容量の雨水浸透施設に迅速に対応することができるほか、施工現場での組立が容易になるので好ましい。なお、前記中詰用積層体ユニットを形成する場合、前記凹所３に隣接しない側の積層体ユニットの床パネル７、天井パネル９及び側パネル１１は積層ユニット間を雨水が自由に流通し得るように、格子状、穴あき状等とした中詰用部材を使用すると、中詰用積層体５の雨水占有容積の減少を抑えることができるので好ましい。
【００２１】
前記中詰用積層体５が床パネル７、天井パネル９、側パネル１１、梁材１３及び支柱スペーサ１５を有する中詰用部材を枠状に組み合わせて合体することにより形成されていると、中詰用部材の構造がシンプルで堅牢になり、雨水浸透施設の信頼性をより高めることができるので好ましい。
【００２２】
前記中詰用積層体５における凹所３に隣接する側の複数の中詰用部材、即ち、床パネル７及び側パネル１１は、図３（ａ）（ｂ）に示すように、ポリプロピレン等の熱可塑性樹脂、エポキシ等の熱硬化性樹脂、又はセメント等に砂、石炭灰（石炭火力発電所等から生じるフライアッシュ）、ガラス等の骨材と必要に応じて水を混合させて構成される透水コンクリート、透水性樹脂、発泡スチロールその他の連続気泡性発泡樹脂等の透水性材料（透水率Ｋは０．１ｃｍ／ｓｅｃ以上が望ましい）を成形加工して形成される。
【００２３】
なお、凹所３に隣接しない側の中詰用部材である床パネル７、側パネル１１、天井パネル９、更に、梁材１３及び支柱スペーサ１５は前記透水性材料で形成してもよいし、若しくは、非透水性材料、例えば、ポリエチレン、ポリ塩化ビニル、ポリプロピレン、ポリスチレン、ポリエチレンテレフタレート（ＰＥＴ）、ＡＢＳ樹脂等の熱可塑性樹脂、又は、これにガラス繊維や石炭灰を適宜量混入させたようなもので形成してもよい。これら透水性材料、非透水性部材として石炭灰が混入されたものを使用すると、材料コストが低減され、産業廃棄物を有効に利用することができるほか、軽量で成形性に優れ、圧縮荷重による変形が少なく剛性が大きくなるので好ましい。
【００２４】
また、前記中詰用積層体５における凹所３に隣接（当接だけでなく近接を含む。以下同じ）する側の複数の中詰用部材である床パネル７間及び側パネル１１間の直線型の継ぎ目１７（図４（ａ）参照）、側パネル１１と梁材１３間のＴ型の継ぎ目１９（図４（ｂ）参照）、床パネル７と側パネル１１間のＬ型の継ぎ目２１（図４（ｃ）参照）には、これら継ぎ目１７、１９、２１から中詰用積層体５内に地中の砂、砂利、土砂、泥、砕石その他の異物が侵入するのを防止するために、例えば、図５に示すような断面円形状の異物侵入防止パッキン２３が介装される。
【００２５】
更に詳細に説明すると、前記直線型の継ぎ目１７には、図２、図４（ａ）に示すように、対向する床パネル７の両端面及び側パネル１１の両端面にそれぞれ半円形状の凹溝１８が継ぎ目１７の方向に沿って形成され、この凹溝１８に異物侵入防止パッキン２３が挿入、介装される。また、前記Ｔ型の継ぎ目１９には、図２、図４（ｂ）に示すように、対向する側パネル１１の両端面間に梁材１３のＴ型端部１４が介挿されて係合し、側パネル１１の両端面と梁材１３のＴ型端部１４の両端面とにそれぞれ前記凹溝１８が継ぎ目１９の方向に沿って形成され、この凹溝１８に異物侵入防止パッキン２３が挿入、介装される。更に、前記Ｌ型の継ぎ目２１には、図２、図４（ｃ）に示すように、対向する床パネル７と側パネル１１の両端面に前記凹溝１８が継ぎ目２１の方向に沿って形成され、この凹溝１８に異物侵入防止パッキン２３が挿入、介装される。この異物侵入防止パッキン２３の挿入、介装は床パネル７、天井パネル９、側パネル１１等の中詰用部材を枠状に組み合わせて合体するときに行うことが望ましい。なお、床パネル７と側パネル１１のＬ型角部（コーナー部）が一体に形成されている場合には継ぎ目２１がなく、異物侵入防止パッキン２３の介装が不要である。
【００２６】
異物侵入防止パッキン２３は、砂、砂利、土砂、泥、砕石その他の異物が中詰用積層体内に侵入するのを防止する機能を有するものであれば、非透水性（防水性）のものでも、透水性のものでもよい。例えば、クロロプレン、ネオプレン、ブチルゴム等の弾性を有するゴム成形体、独立又は連続気泡性のポリスチレン（ＰＳ）、ポリエチレン、ポリプロピレン、ポリウレタンその他の発泡成形体、ジオテキスタイル等の透水性の不織布を加工して形成したものでもよい。また、該パッキン２３の断面形状は円形状のほかに、楕円形状、断面角形状、平板状等としてもよい。更に、該パッキン２３は、前記継ぎ目１７、１９、２１の凹溝１８に挿入せず、接着剤等でじかに固着することにより介装するようにしてもよい。
【００２７】
本実施形態の雨水浸透施設は、図１に示すように、更に、凹所３の一方側の外側に雨水流入補助槽２５が配設され、連結管２７で凹所３に配設された中詰用積層体５の側パネル１１と連通接続されている。雨水は雨水流入管２９から引き入れられ、雨水流入補助槽２５及び連結管２７を通って中詰用積層体５内に流入される。そして、雨水流入補助槽２５で雨水中に含まれる泥砂が沈下、除去され、中詰用積層体５内に泥砂が侵入するのを可及的に防ぎ、泥砂が中詰用積層体５内に堆積しないようにしている。雨水流入補助槽２５の下部には排水管３１が接続され、万一、雨水浸透施設の中詰用積層体５内に雨水が充満した場合には、排水管３１に設けたバルブ（図示せず）を開いて雨水の一部を河川、地下水、排水施設等に排出するようになっている。中詰用積層体５内に流入した雨水は一時貯留された後、中詰用積層体５における凹所３に隣接する側の複数の中詰用部材である床パネル７及び側パネル１１を透過して地中に緩やかに浸透して排出される。なお、中詰用積層体５の天井パネル９の上部には土壌、砂利、アスファルト、コンクリートブロック等の保護層が設けられ、凹所３の開口部が塞がれる。なお、３３は中詰用積層体５の内部の状態を調べるための点検用人孔である。
【００２８】
本実施形態の雨水浸透施設は以上のような構成になっている。この雨水浸透施設を組み立てる場合には、図１に示すように、地面１を所望水量の雨水が一時貯留できるような大きさに掘り下げて凹所３を形成し、その底壁上に設けた所定厚さの砂層上に、床パネル７、天井パネル９等の中詰用部材を枠状に組み合わせて合体し、遮水手段７を組み込んだ中詰用積層体５を配設する。中詰用積層体５が小型の場合には、予め工場等で形成し、これを施工現場まで輸送し、施工現場で凹所３に配設してもよい。中詰用積層体５が中、大型の場合には、予め工場等で形成した複数の小型な中詰用積層体ユニットを施工現場まで輸送して、施工現場でこれら積層体ユニットを積層、合体して凹所３に配設することが好ましい。なお、中詰用積層体５は形状の大小に関係なく、施工現場で床パネル７、天井パネル９等の中詰用部材を一体に枠状に組み合わせて合体することにより形成してもよいことは勿論である。このようにして、凹所３に中詰用積層体５を配設した後、中詰用積層体５の周囲と凹所３の側壁間の隙間を土壌、砂利、保護板等の介在物で埋め、中詰用積層体５を凹所３内に配設する。また、雨水流入補助槽２５その他の付帯装置を中詰用積層体５等に配設し、中詰用積層体５の天井パネル９の上部に土壌、砂利、アスファルト、コンクリートブロック等の保護層を設け、凹所３の開口部を塞いで雨水浸透施設の組み立てを終了する。
【００２９】
本実施形態の雨水浸透施設によると、中詰用積層体５における凹所３に隣接する側の複数の中詰用部材である床パネル７及び側パネル１１自体が透水性材料で形成されるので、中詰用積層体５内に一時貯留された雨水をこれら床パネル７及び側パネル１１を透過して周りの地中に緩やかに浸透させて排出することができる。また、前記凹所３に隣接する側の少なくとも床パネル７間、側パネル１１間及び側パネル１１と梁材１３間の継ぎ目１７、１９に異物侵入防止パッキン２３が介装されるので、中詰用積層体５内に周りの地中の砂、砂利その他の異物が侵入するのを防止することができる。これにより、施工現場において凹所３の底壁及び側壁の内面に透水シートを配設する作業及び透水シートを貼り合わせる作業が不要になり、施工作業が簡単で工数、熟練を要しなくなり、施工作業性を向上させると共に、工期を短縮させ、建設コストを低減させることができる。更に、長期間にわたり雨水浸透施設の性能（雨水浸透能力）を安定して維持することができる。
【００３０】
また、前記中詰用部材が、図２に示すように、横方向に敷き詰められる複数の床パネル７及び天井パネル９と、上下方向に積層される複数の側パネル１１と、側パネル１１に介装される複数の梁材１３と、床パネル７、梁材１３及び天井パネル９に介装される支柱スペーサ１５とを有し、前記中詰用積層体５が床パネル７の上に梁材１３及び天井パネル９を支柱スペーサ１５を介して上下方向に所定間隔をおいて積層すると共に、側パネル１１の上下端部を床パネル７及び天井パネル９に取り付け、床パネル７、天井パネル９及び側パネル１１を枠状に組み合わせて合体することにより形成されていると、中詰用積層体５の構造がシンプルで堅牢になり、雨水浸透施設の信頼性をより高めることができる。
【００３１】
図６（ａ）乃至（ｄ）には、図１乃至４に示すものとは異なる実施形態において、中詰用積層体３５を構成する複数の中詰用部材の床パネル３６及び側パネル３７が示してある。
【００３２】
この実施形態の床パネル３６及び側パネル３７は、前記床パネル７及び側パネル１１と同じように、中詰用積層体３５における凹所３に隣接する側の中詰用部材であり、矩形板状の非透水性部材３９と該部材３９に設けられた複数の雨水挿通穴４１と該部材３９の凹所３における底壁又は側壁に対向する外側面（表面）に接着剤や熱融着等により貼着された透水シート４３とからなる。また、前記継ぎ目１７における対向する床パネル３６の両端面及び側パネル３７の両端面にそれぞれ半円形状の凹溝１８が継ぎ目１７の方向に沿って形成され、この凹溝１８に異物侵入防止パッキン２３が挿入、介装される。また、継ぎ目１９における側パネル３７の両端面と梁材１３のＴ型端部１４の両端面とにそれぞれ前記凹溝１８が継ぎ目１９の方向に沿って形成され、この凹溝１８に異物侵入防止パッキン２３が挿入、介装される。更に、前記継ぎ目２１における対向する床パネル３６と側パネル３７の両端面に前記凹溝１８が継ぎ目２１の方向に沿って形成され、この凹溝１８に異物侵入防止パッキン２３が挿入、介装される。
【００３３】
床パネル３６及び側パネル３７を構成する非透水性部材３９は、例えば、ポリエチレン、ポリ塩化ビニル、ポリプロピレン、ポリスチレン、ポリエチレンテレフタレート（ＰＥＴ）、ＡＢＳ樹脂等の熱可塑性樹脂、若しくは、これにガラス繊維や石炭灰を適宜量混入させたようなもの、又は、独立気泡性の発泡樹脂で形成される。雨水挿通穴４１は床パネル３６及び側パネル３７の機械的強度を許容以下に低下させない範囲で小内径で、数多く、全体にわたり均等に分散するように設けることが好ましい。
【００３４】
透水シート４３は、例えば、ポリエステル長繊維不織布、連続気泡性発泡樹脂シート等が用いられる。中詰用積層体３５内に一時貯留された雨水は床パネル３６及び側パネル３７の雨水挿通穴４１を通って透水シート４３に至り、透水シート４３で面方向に均等に分散され、周りの地中に緩やかに浸透して排出される。なお、透水シート４３は非透水性部材３９の内側面（裏面）、又は、内外両側面に貼着してもよいが、前記したように外側面に貼着するようにすると、雨水挿通穴４１内に砂、砂利等の異物が堆積しにくく、雨水の流れが雨水挿通穴４１内で滞留しにくい。従って、雨水を長期間安定して地中に浸透させることができるので好ましい。その他の構成は図１乃至５に記載されたものと実質上同一なので説明を省略する。
【００３５】
図６に示す実施形態によると、中詰用積層体３５における凹所３に隣接する側の複数の中詰用部材である床パネル３６及び側パネル３７の非透水性部材３９に予め透水シート４３が貼着され、透水シート４３により雨水を地中に分散浸透させる機能を持たせるので、施工現場において凹所３の底壁及び側壁の内面に透水シートを配設する作業が不要になるほか、異物侵入防止パッキン２３に砂、砂利その他の異物侵入防止機能を持たせるので、施工現場において透水シートを貼り合わせる作業も不要になる。従って、雨水浸透施設を建設する施工作業が簡単で工数、熟練を要しなくなり、施工作業性を向上させると共に、工期を短縮させ、建設コストを低減させることができる。また、長期間にわたり雨水浸透施設の性能（雨水浸透能力）を安定して維持することができる。更に、中詰用部材の床パネル３６及び側パネル３７が非透水性部材３９よりも通常薄肉で容積の小さい透水シート４３で雨水を地中に緩やかに浸透させる機能を持たせるので、中詰用積層体３５の材料費が低減され、雨水浸透施設のコストを安くすることができる。
【００３６】
図７（ａ）（ｂ）には、前記２実施形態とは異なる実施形態において、中詰用積層体４５を構成する複数の中詰用部材である側パネル４７と梁材１３間のＴ型の継ぎ目１９に地中の砂、砂利その他の異物が中詰用積層体４５内に侵入するのを防止する異物侵入防止パッキン４９が介装され、凹所３の側壁と中詰用積層体４５との間に砕石層５１が配設された状態が示してある。
【００３７】
側パネル４７は前記中詰用積層体４５における凹所３に隣接する側の中詰用部材で非透水性材料で形成される。非透水性材料は前記非透水性部材３９を形成する材料と同じものが用いられる。異物侵入防止パッキン４９は透水性の材料、例えば、連続気泡性のポリスチレン（ＰＳ）、ポリエチレン、ポリプロピレン、ポリウレタンその他の発泡成形体、ジオテキスタイル等の透水性の不織布等を側パネル４７の厚さに見合う幅を有する平条材に加工され、側パネル１１の両端面と梁材１３のＴ型端部１４の両端面との間におけるＴ型の継ぎ目１９に継ぎ目方向に沿って介装され、雨水は通過させるが、前記異物は通過させないようになっている。異物侵入防止パッキン４９が継ぎ目１９からずれたり、変形したり、外れたり等しないように、該パッキン４９を対向する側パネル４７又は梁材１３のＴ型端部１４側に接着剤等で固定するか、或いは、継ぎ目１９の対向する側パネル４７及びＴ型端部１４の両端面に該パッキン４９に見合う大きさの凹溝（図示せず）を形成して、その凹溝に挿入するようにすると、異物侵入防止パッキン４９が継ぎ目１９からずれる等の不具合が生じ難くなるので好ましい。また、図７（ａ）に示すように、凹所３の側壁と中詰用積層体４５の側パネル４７との間には中詰用積層体４５に一時貯留された雨水を周りの地中に分散浸透させる砕石層（砂、砂利層を含む）５１が配設される。
【００３８】
なお、図示しないが、凹所３に隣接する側の中詰用部材である床パネルについても、側パネル４７と同様に非透水性材料で形成される。また、前記中詰用積層体５における凹所３に隣接する側の複数の中詰用部材である床パネル間及び側パネル４７間の直線型の継ぎ目、必要に応じて床パネルと側パネル４７間のＬ型の継ぎ目にも異物侵入防止パッキン４９が介装される。更に、凹所３の底壁と中詰用積層体４５の床パネルとの間にも砕石層５１が配設される。その他の構成は図１乃至５に記載されたものと実質上同一なので説明を省略する。
【００３９】
図７に示す実施形態によると、砕石層５１に雨水を地中に分散浸透させる機能を持たせるので、施工現場において凹所３の底壁及び側壁の内面に透水シートを配設する作業が不要になるほか、異物侵入防止パッキン４９に砂、砂利その他の異物侵入防止機能を持たせるので、施工現場において透水シートを貼り合わせる作業も不要になり、施工作業が簡単で施工作業性を向上させると共に、工期を短縮させ、建設コストを低減させることができる。また、長期間にわたり雨水浸透施設の性能を安定して維持することができる。更に、中詰用積層体４５を構成する中詰用部材の側パネル４７及び床パネルが非透水性材料で形成されるので、中詰用積層体４５の加工費及び材料費が低減され、雨水浸透施設のコストを更に安くすることができる。
【００４０】
図８（ａ）（ｂ）には、前記３実施形態とは異なる実施形態において、中詰用積層体４５を構成する複数の中詰用部材である側パネル４７と梁材１３間のＴ型の継ぎ目１９に地中の砂、砂利その他の異物が中詰用積層体４５内に侵入するのを防止する異物侵入防止パッキン４９が介装され、凹所３の側壁と中詰用積層体４５の側パネル４７との間に透水シート５３が配設された状態が示してある。この実施形態は、図７に示す実施形態の砕石層５１に代えて透水シート５３が配設される構成になっている。透水シート５３は前記透水シート４３と同じ材料、即ち、ポリエステル長繊維不織布、連続気泡性発泡樹脂シート等が用いられる。透水シート５３は、図示しないが、凹所３の底壁と中詰用積層体４５の底壁との間にも配設される。その他の構成は図７に示す実施形態と実質上同一なので説明を省略する。
【００４１】
図８に示す実施形態によると、凹所３の内面に配設された透水シート５３により、雨水を地中に分散浸透させる機能を持たせ、異物侵入防止パッキン４９に砂、砂利その他の異物侵入防止機能を持たせるので、施工現場において工数と熟練を要する透水シートの貼り合わせ作業が不要になる。従って、施工作業が同様に簡単で施工作業性を向上させると共に、工期を短縮させ、建設コストを低減させることができる。また、長期間にわたり雨水浸透施設の性能を安定して維持することができる。更に、中詰用積層体４５を構成する中詰用部材の側パネル４７及び床パネルが非透水性材料で形成されるので、中詰用積層体４５の加工費及び材料費が低減され、雨水浸透施設のコストを更に安くすることができる。
【図面の簡単な説明】
【００４２】
【図１】本発明に係る雨水浸透施設の一実施形態を示す断面図である。
【図２】図１における雨水浸透施設の中詰用積層体の一部を拡大して示す斜視図である。
【図３】図２における中詰用積層体を構成する中詰用部材の床パネル及び側パネルを示すもので、（ａ）は正面図、（ｂ）は側面図である。
【図４】図２における中詰用部材の継ぎ目に異物侵入防止パッキンが介装された状態の３例を示すもので、（ａ）は床パネル間及び側パネル間の継ぎ目に異物侵入防止パッキンが介装された状態を示す拡大図、（ｂ）は側パネルと梁材間の継ぎ目に異物侵入防止パッキンが介装された状態を示す拡大図、（ｃ）は床パネルと側パネル間の継ぎ目に異物侵入防止パッキンが介装された状態を示す拡大図である。
【図５】図２における中詰用部材の継ぎ目に介装される異物侵入防止パッキンを示す斜視図である。
【図６】図１乃至４に示すものとは異なる実施形態の中詰用積層体を構成する複数の中詰用部材の床パネル及び側パネルを示すもので、（ａ）は正面図、（ｂ）は右側面図、（ｃ）は背面図、（ｄ）は（ａ）のＸ−Ｘ線矢視断面図である。
【図７】（ａ）は前記２実施形態とは異なる実施形態の中詰用積層体を構成する複数の中詰用部材である側パネルと梁材間の継ぎ目に異物侵入防止パッキンが介装され、凹所の側壁と中詰用積層体との間に砕石層が配設された状態を示す概要図、（ｂ）は（ａ）のＹ−Ｙ線矢視断面図である。
【図８】（ａ）は図７における砕石層に代えて透水シートが配設された状態を示す概要図、（ｂ）は（ａ）のＺ−Ｚ線矢視断面図である。
【符号の説明】
【００４３】
１      地面
３      凹所
５、３５、４５  中詰用積層体
７、３６  床パネル
９      天井パネル
１１、３７、４７  側パネル
１３    梁材
１４    Ｔ型端部
１５    支柱スペーサ
１７    継ぎ目
１８    凹溝
１９    継ぎ目
２１    継ぎ目
２３、４９  異物侵入防止パッキン
２５    雨水流入補助槽
２７    連結管
２９    雨水流入管
３１    排水管
３３    点検用人孔
３９    非透水性部材
４１    雨水挿通穴
４３、５３  透水シート
５１    砕石層
【図１】
2005330734.tif 000003
【図２】
2005330734.tif 000004
【図３】
2005330734.tif 000005
【図４】
2005330734.tif 000006
【図５】
2005330734.tif 000007
【図６】
2005330734.tif 000008
【図７】
2005330734.tif 000009
【図８】
2005330734.tif 000010